(57)【要約】【課題】ハウジングを備えたコネクタ装置であって、構成部材数を低減することができる構造をもって、ハウジングに差し込まれた配線板状部材を、係止状態及び係止解除状態に選択的におくことができるものを提供する。【解決手段】ハウジング（１１）を部分的に覆う導電性シェル（１４）に一体的に形成され、ハウジング（１１）に差し込まれたフレキシブル印刷配線基板（４０）における切欠き係合部（４４）に係合してフレキシブル印刷配線基板（４０）に対する係止状態をとる係止部（２６）と、係止部（２６）と共に導電性シェル（１４）に一体的に形成され、ハウジング（１１）外に突出する操作部分（３４）が操作されるとき、係止部（２６）にフレキシブル印刷配線基板（１４）に対する係止状態を解除させる係止解除部（２７）とを備える。【選択図】図１５
2011086428.tif 000002
【特許請求の範囲】
【請求項１】
板状部材差込み部が設けられたハウジングと、
該ハウジング内に配列配置され、配線板状部材が上記板状部材差込み部を通じて上記ハウジングに差し込まれるとき、上記ハウジングに差し込まれた配線板状部材における複数の接続端子部に夫々接触接続される複数のコンタクトと、
上記ハウジングを部分的もしくは全体的に覆い、上記ハウジングに差し込まれた配線板状部材に対する係止状態をとる係止部と該係止部の係止状態を解除する係止解除部とが一体的に形成された導電性シェルと、
を備えて成り、
上記導電性シェルに形成された係止部が、上記導電性シェルから上記ハウジングの内側に伸びる腕状部分と、該腕状部分の端部に設けられて、上記ハウジングに差し込まれた配線板状部材に設けられた切欠き係合部に係合する状態をとる係合部分と、を有して形成され、上記係止解除部が、上記腕状部分の端部から伸びる連結部分と、該連結部分に連なって上記ハウジング外に位置し、該ハウジングもしくは上記導電性シェルの外面に当接する状態をとる当接部分と、上記ハウジング外において上記当接部分から伸び、上記係止部の係止状態を解除させるべく操作される操作部分と、を有して形成されることを特徴とするコネクタ装置。
【請求項２】
上記係止部における腕状部分が弾性を有した可動部分を成すことを特徴とする請求項１記載のコネクタ装置。
【請求項３】
上記係止部における係合部分が、上記板状部材差込み部を通じて上記ハウジングに差し込まれる配線板状部材の端縁部に当接する当接面を有し、該当接面が上記配線板状部材の端縁部に当接するとき、上記係止部における腕状部分を上記配線板状部材の板面に沿う方向において上記配線板状部材の端縁部から離隔する向きに変位させることを特徴とする請求項１記載のコネクタ装置。
【請求項４】
上記係止解除部における連結部分が、上記当接面が上記配線板状部材の端縁部に当接するとき、上記配線板状部材の板面に沿う方向において上記配線板状部材の端縁部から離隔する向きをもってに移動し、上記係止解除部における操作部分を変位させることを特徴とする請求項３記載のコネクタ装置。
【請求項５】
上記係止部における腕状部分が、上記係合部分の当接面が上記配線板状部材の端縁部に当接した後該配線板状部材の端縁部に当接しなくなったとき、上記係合部分を伴って、上記配線板状部材の板面に沿う方向において上記配線板状部材の端縁部に近接する向きをもって変位し、上記係合部分に上記配線板状部材に設けられた切欠き係合部との係合状態をとらせることを特徴とする請求項３記載のコネクタ装置。
【請求項６】
上記係止解除部における操作部分が、上記ハウジングに向けて押圧操作されるとき、上記係止解除部における当接部分を上記ハウジングもしくは上記導電性シェルの外面に当接させたもとで、上記係止解除部における連結部分を、上記係止部における係合部分を伴って、上記ハウジングに差し込まれた配線板状部材の板面に沿う方向において該配線板状部材の端縁部から離隔する向きに移動させ、上記係合部分に上記配線板状部材に設けられた切欠き係合部との係合状態を解除させることを特徴とする請求項１記載のコネクタ装置。
【請求項７】
上記係止部及び上記係止解除部が、上記導電性シェルにおける、上記ハウジングにおける上記複数のコンタクトの配列方向の両端部に対応する二カ所に、夫々形成されることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材に設けられた接続端子部を、他の配線基板等とされる他の電気部品に電気的に接続された状態とするため、配線板状部材にその離脱を阻止すべく係合する係止手段と接続端子部に接触接続されるコンタクトとを備えたコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板への取付けが、当該主配線基板に電気的接続がなされて固定されるコネクタ装置が用いられて行われることが多い。このような配線板状部材の主配線基板への取付けにあたって用いられるコネクタ装置は、配線板状部材に設けられた接続端子部に接触接続される導電性のコンタクトを有していて、そのコンタクトを介して、配線板状部材に設けられた接続端子部を主配線基板に設けられた配線部に電気的に接続する。
【０００３】
従来提案されている、例えば、フレキシブル印刷配線基板とされる配線板状部材の主配線基板への取付けに用いられるコネクタ装置は、配線板状部材が差し込まれる差込み部が設けられたものとされて主配線基板に配される、例えば、絶縁材料によって形成されたハウジングを有したものとされる。そして、そのハウジング内に配列配置されて設けられ、配線板状部材が差込み部を通じてハウジングに差し込まれるとき、その配線板状部材に設けられた複数の接続端子部に夫々対応するものとなる複数のコンタクトと、複数のコンタクトについての特性インピーダンス調整に貢献するものとして、さらには、外部からの電磁波ノイズ対策のため、即ち、外部からの電磁波ノイズに対するシールド効果を得るために、ハウジングを部分的もしくは全体的に覆うものとして配されて主配線基板に設けられた接地端子に連結される導電性シェルと、ハウジングに対して回動可能とされるとともに複数のコンタクトの夫々に係合して設けられ、回動せしめられるとき、複数のコンタクトに、複数の接続端子部に夫々接触接続された状態、あるいは、複数の接続端子部との接触接続から解放された状態をとらせるアクチュエータとが備えられる。そして、複数のコンタクトが配線板状部材に設けられた複数の接続端子部に夫々接触接続された状態におかれることにより、配線板状部材が主配線基板との電気的接続状態におかれる。
【０００４】
さらに、従来提案されている配線板状部材の主配線基板への取付けに用いられるコネクタ装置の中には、上述のようなハウジングを有し、上述のような複数のコンタクトと導電性シェルとは備えられているが、ハウジングに対して回動可能に設けられるアクチュエータは備えられていず、配線板状部材が差込み部を通じてハウジングに差し込まれるとき、自動的に、ハウジング内に設けられた複数のコンタクトが差し込まれた配線板状部材に設けられた複数の接続端子部に夫々接触接続されるものもある。斯かるものにあっては、配線板状部材が差込み部を通じてハウジングに適正に差し込まれるだけで、配線板状部材が主配線基板との電気的接続状態におかれる。
【０００５】
このような従来提案されているコネクタ装置にあっては、ハウジングに対して回動可能に設けられるアクチュエータが備えられたもの及び斯かるアクチュエータが備えられないもののいずれの場合にも、例えば、フレキシブル印刷配線基板とされる配線板状部材が、主配線基板に配されたハウジングに差込み部を通じて差し込まれて、ハウジング内に配された複数のコンタクトが、ハウジングに差し込まれた配線板状部材における複数の接続端子部に夫々接触接続され、それにより、配線板状部材が主配線基板との電気的接続状態におかれるにあたり、配線板状部材がハウジングから不所望に離脱するような事態が回避されなくてはならない。当然のことながら、ハウジング内に配された複数のコンタクトがハウジングに差し込まれた配線板状部材における複数の接続端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００６】
そのため、上述のような、ハウジングを有し、複数のコンタクトと導電性シェルとハウジングに対して回動可能とされるアクチュエータとが備えられたコネクタ装置に属するものであって、ハウジング内に差込み部を通じて差し込まれた配線板状部材に係合して、当該配線板状部材のハウジングからの不所望な抜脱を阻止する係止手段を備えたコネクタ装置が従来提案されている（例えば、特許文献１参照。）。また、上述のような、ハウジングを有し、複数のコンタクトと導電性シェルとは備えられているが、ハウジングに対して回動可能とされるアクチュエータは備えられていないコネクタ装置に属するものであって、ハウジング内に差込み部を通じて差し込まれた配線板状部材に係合して、当該配線板状部材のハウジングからの不所望な抜脱を阻止する係止手段を備えたコネクタ装置も従来提案されている（例えば、特許文献２参照。）。
【０００７】
特許文献１に示されるコネクタ装置にあっては、導電性シェル（シールドプレート１１）の一部にシーソーのように変位することができる係止手段（ロック部１１ｃ）が形成されており、この係止手段には、導電性シェルの内側に向かって屈曲した係止端部（爪部１１ｄ）が設けられている。そして、係止手段は、ハウジング（ハウジング３）に対して回動可能とされたアクチュエータ（アクチュエータ９）の回動操作に応じて変位する。
【０００８】
このようなもとで、配線板状部材（ＦＰＣ２１）がハウジング内の受容空間（ＦＰＣ受容空間３４）に差し込まれた後に、アクチュエータの第１の方向への回動操作が行われると、ハウジング内に配された複数のコンタクト（第１コンタクト５，第２コンタクト６）が、アクチュエータに形成されたカム（カム部９２，９３）によって変位せしめられ、ハウジング内に差し込まれた配線板状部材における複数の接続端子部に夫々接触接続されるとともに、係止手段が、アクチュエータに形成されたカム（カム部９４）によって変位せしめられ、それに設けられた係止端部をハウジング内に差し込まれた配線板状部材に設けられた係合部（切欠２１ａ）に係合させる。それにより、ハウジング内に差し込まれた配線板状部材のハウジングからの不所望な抜脱が阻止される。
【０００９】
その後、係止手段に設けられた係止端部がハウジング内に差し込まれた配線板状部材に設けられた係合部に係合したもとで、アクチュエータの第１の方向とは逆の第２の方向への回動操作が行われると、アクチュエータに形成されたカム（カム部９４）が、係止手段に、それに設けられた係止端部の配線板状部材に設けられた係合部との係合を解除する状態をとることを許す。それにより、ハウジング内に差し込まれた配線板状部材が、ハウジングから抜脱し得る状態におかれる。
【００１０】
また、特許文献２に示されるコネクタ装置にあっては、ハウジング（ハウジング本体２）にそれに対して回動可能に設けられた導電性シェル（シェル４）が備えられている。そして、導電性シェルの一部に板ばね状の係止手段（足部４６）が形成されており、この係止手段の先端部に導電性シェルの内側に向かう係止突起（係止突起４４）が設けられている。
【００１１】
このようなハウジングに対して回動可能とされた導電性シェルが、その全体がハウジングに近接することになる、ハウジングに対して伏した位置をとるもとで、配線板状部材（ＦＰＣ）がハウジング内に差込み部（挿入口２１）を通じて差し込まれると、ハウジング内に配された複数のコンタクト（コンタクト３（上部コンタクト３１，下部コンタクト３２））が、ハウジング内に差し込まれた配線板状部材における複数の接続端子部に夫々接触接続されるとともに、係止手段に設けられた係止突起が、ハウジング内に差し込まれた配線板状部材に設けられた係合部（ＦＰＣ係止孔ＦＰＣ２）に係合する。それにより、ハウジング内に差し込まれた配線板状部材のハウジングからの不所望な抜脱が阻止される。
【００１２】
その後、係止手段に設けられた係止突起がハウジング内に差し込まれた配線板状部材に設けられた係合部に係合したもとで、ハウジングに対して回動可能とされた導電性シェルが、ハウジングに対して起き上がった位置をとるべく回動操作されると、導電性シェルに形成された係止手段も導電性シェルに伴って変位し、それに設けられた係止突起が配線板状部材に設けられた係合部との係合を解除する。それにより、ハウジング内に差し込まれた配線板状部材が、ハウジングから抜脱し得る状態におかれる。
【先行技術文献】
【特許文献】
【００１３】
【特許文献１】特開２００８−５２９９３号公報  （段落００１６，００１７，００３３〜００４３、図１，５，６）
【特許文献２】特開２００８−１９２５７４号公報  （段落００２６，００２７，００３１〜００    ３４，図１〜６）
【発明の概要】
【発明が解決しようとする課題】
【００１４】
上述のような、フレキシブル印刷配線基板等の配線板状部材の主配線基板への取付けに用いられるコネクタ装置であって、ハウジング内に差し込まれた配線板状部材のハウジングからの不所望な離脱を阻止する係止手段を備えたものとして従来提案されているコネクタ装置にあっては、係止手段がハウジングに対して回動可能とされたアクチュエータの回動操作に応じて変位するものとされ、あるいは、ハウジングに対して回動可能とされた導電性シェルが備えられ、その導電性シェルの一部に係止手段が形成されている。
【００１５】
このような、係止手段がハウジングに対して回動可能とされたアクチュエータの回動操作に応じて変位するものとされた従来のコネクタ装置の場合には、係止手段とアクチュエータとを個別に形成されてた別部材として備えることが必要とされ、そのことが、コネクタ装置の構成部材数の増加をまねき、製造コストを嵩ませる要因となる。それに加えて、係止手段に配線板状部材に対する係止状態あるいは係止解除状態をとらせるにあたっては、アクチュエータをハウジングに対して回動させる操作が不可欠とされ、斯かる操作を行うための不所望なスペースをコネクタ装置の周囲に設けることが必要とされる。
【００１６】
また、ハウジングに対して回動可能とされた導電性シェルが備えられ、その導電性シェルの一部に係止手段が形成された従来のコネクタ装置の場合には、導電性シェルがハウジングに対して回動可能とされるので、コネクタ装置の主配線基板への固定のために導電性シェルを利用することができず、別途、コネクタ装置を主配線基板に固定するための部材（ホールドダウン部材）を備えることが必要とされ、そのことが、コネクタ装置の構成部材数の増加をまねき、製造コストを嵩ませる要因となる。
【００１７】
さらに、上述の従来のコネクタ装置にあっては、係止手段が、ハウジング内に差し込まれた配線板状部材のハウジングからの不所望な抜脱を阻止している状態とそうでない状態とにおいて夫々とる姿勢あるいは位置が、同じ、もしくは、微妙な差はあるが殆ど同じとされる。また、ハウジング内に差し込まれた配線板状部材が、係止手段によってハウジングからの不所望な離脱が阻止されている状態とそうでない状態とにおいて夫々とる姿勢あるいは位置が、微妙な差はあるが殆ど同じとされる。
【００１８】
それゆえ、このような従来提案されているコネクタ装置が実用に供される際には、ハウジング内に差し込まれた配線板状部材が、ハウジング内における適正な位置に到達していて、係止手段によってハウジングからの不所望な離脱が阻止されている状態に適正におかれていることを、コネクタ装置の外部から目視もしくは感触によって、迅速かつ正確に確認することは極めて困難とされる。その結果、ハウジング内に差し込まれた配線板状部材が、適正な状態におかれていて、例えば、コネクタ装置が固定された主配線基板との電気的接続が適正になされているか否かを確認するための付加的作業が必要とされ、工数の増加やコストの上昇等がもたらされるという問題を生じる。
【００１９】
斯かる点に鑑み、本願の特許請求の範囲に記載された発明は、フレキシブル印刷配線基板やフレキシブル平板状ケーブル等とされる配線板状部材の主配線基板への取付けに用いられる、板状部材差込み部が設けられたハウジングと、ハウジング内に配列配置されて設けられる複数のコンタクトと、ハウジングを部分的もしくは全体的に覆う導電性シェルとを備えたコネクタ装置であって、構成部材数を低減することができる構造をもって、ハウジングに差し込まれた配線板状部材を、ハウジングからの不所望な抜脱が確実に阻止される係止状態、及び、その係止状態から解放されてハウジングからの意図的な抜脱が可能とされる状態に選択的におくことができ、しかも、ハウジングに差し込まれた配線板状部材が、ハウジング内における適正な位置に到達していて、ハウジングからの不所望な抜脱が確実に阻止される係止状態に適正におかれていることについての、コネクタ装置の外部からの目視もしくは感触による迅速かつ正確な確認を、容易に行うことができることになるものを提供する。
【課題を解決するための手段】
【００２０】
本願の特許請求の範囲における請求項１から請求項７までのいずれかに記載された発明（以下、本発明という。）に係るコネクタ装置は、板状部材差込み部が設けられたハウジングと、ハウジング内に配列配置され、配線板状部材が板状部材差込み部を通じてハウジングに差し込まれるとき、ハウジングに差し込まれた配線板状部材における複数の接続端子部に夫々接触接続される複数のコンタクトと、ハウジングを部分的もしくは全体的に覆い、ハウジングに差し込まれた配線板状部材に対する係止状態をとる係止部とその係止部の係止状態を解除する係止解除部とが一体的に形成された導電性シェルとを備えて成り、導電性シェルに形成された係止部が、導電性シェルからハウジングの内側に伸びる腕状部分と、腕状部分の端部に設けられて、ハウジングに差し込まれた配線板状部材に設けられた切欠き係合部に係合する状態をとる係合部分とを有して形成され、係止解除部が、腕状部分の端部から伸びる連結部分と、その連結部分に連なってハウジング外に位置し、ハウジングもしくは導電性シェルの外面に当接する状態をとる当接部分と、ハウジング外において当接部分から伸び、係止部の係止状態を解除させるべく操作される操作部分とを有して形成されることを特徴とするものとされる。
【００２１】
上述のような本発明に係るコネクタ装置にあっては、複数の接続端子部が設けられた配線板状部材が板状部材差込み部を通じてハウジングに差し込まれると、それにより、ハウジング内に配列配置された複数のコンタクトが、ハウジングに差し込まれた配線板状部材における複数の接続端子部に夫々接触接続されるとともに、導電性シェルに一体的に形成された係止部における腕状部分の端部に設けられた係合部分が、ハウジングに差し込まれた配線板状部材に設けられた切欠き係合部に係合して、係止部が当該配線板状部材に対する係止状態をとる。その結果、ハウジングに差し込まれた配線板状部材が、係止部によってハウジングからの不所望な抜脱が阻止される状態におかれ、ハウジング内に配列配置された複数のコンタクトが当該配線板状部材における複数の接続端子部に夫々接触接続された状態が安定に維持される。
【００２２】
その後、係止部と共に導電性シェルに一体的に形成された係止解除部における操作部分に、係止部の係止状態を解除させるための操作、例えば、ハウジングに向けての押圧操作が加えられると、係止解除部が、それにおける連結部分に連結された係止部における腕状部分の端部を変位させ、当該端部に設けられた係合部分に、ハウジングに差し込まれた配線板状部材に設けられた切欠き係合部との係合を解除させる。それにより、係止部がハウジングに差し込まれた配線板状部材に対する係止状態を解除し、ハウジングから配線板状部材を意図的に抜脱させることができる状態が得られる。
【００２３】
このような本発明に係るコネクタ装置における各部の機能あるいは役割は、より具体的には、例えば、次のように果たされる。
【００２４】
本発明に係るコネクタ装置にあっては、係止部における腕状部分が、例えば、本願の特許請求の範囲における請求項２に記載されたもののように、弾性を有した可動部分とされる。そして、係止部における係合部分が、例えば、本願の特許請求の範囲における請求項３に記載されたもののように、板状部材差込み部を通じてハウジングに差し込まれる配線板状部材の端縁部に当接する当接面を有したものとされ、その当接面が配線板状部材の端縁部に当接するとき、係止部における腕状部分を配線板状部材の板面に沿う方向において配線板状部材の端縁部から離隔する向きに変位させる。それにより、配線板状部材のハウジング内への差し込みが係止部が障害となることなく継続される状態がとられる。
【００２５】
このとき、係止部における腕状部分の端部に連結された係止解除部における連結部分が、例えば、本願の特許請求の範囲における請求項４に記載されたもののように、ハウジングに差し込まれる配線板状部材の板面に沿う方向において当該配線板状部材の端縁部から離隔する向きをもってに移動し、係止解除部における操作部分をハウジング外において変位させる。それにより、配線板状部材が係止部による係止状態におかれていないことが、ハウジング外における操作部分の位置から視覚的にもしくは感触により認知され得ることになる。
【００２６】
そして、配線板状部材がハウジング内における所定の位置に達すると、係止部における係合部分の当接面が配線板状部材の端縁部に当接しなくなり、係止部における腕状部分が、例えば、本願の特許請求の範囲における請求項５に記載されたもののように、係合部分を伴って、ハウジングに差し込まれた配線板状部材の板面に沿う方向において当該配線板状部材の端縁部に近接する向きをもって変位し、係合部分に配線板状部材に設けられた切欠き係合部との係合状態をとらせる。それにより、係止部が配線板状部材に対する係止状態をとる。このとき、係止部における腕状部分の端部に連結された係止解除部における連結部分が、ハウジングに差し込まれる配線板状部材の板面に沿う方向において当該配線板状部材の端縁部に近接する向きをもってに移動し、係止解除部における操作部分をハウジング外において変位させる。それにより、配線板状部材が係止部による係止状態におかれたことが、ハウジング外における操作部分の位置から視覚的にもしくは感触により認知され得ることになる。
【００２７】
その後、係止解除部における操作部分が、例えば、本願の特許請求の範囲における請求項６に記載されたもののように、ハウジングに向けて押圧操作されると、係止解除部における当接部分をハウジングもしくは導電性シェルの外面に当接させたもとで、係止解除部における連結部分を、係止部における係合部分を伴って、ハウジングに差し込まれた配線板状部材の板面に沿う方向において当該配線板状部材の端縁部から離隔する向きに移動させて、係合部分に配線板状部材に設けられた切欠き係合部との係合状態を解除させる。それにより、配線板状部材がハウジングから意図的に抜脱させることができる状態におかれる。
【００２８】
なお、本発明に係るコネクタ装置の一例にあっては、本願の特許請求の範囲における請求項７に記載されたもののように、係止部及び係止解除部が、導電性シェルにおける、ハウジングにおける複数のコンタクトの配列方向の両端部に対応する二カ所に、夫々形成される。
【発明の効果】
【００２９】
本発明に係るコネクタ装置においては、上述のように、フレキシブル印刷配線基板やフレキシブル平板状ケーブル等とされる配線板状部材が、板状部材差込み部を通じてハウジングに差し込まれるとき、ハウジング内に配列配置された複数のコンタクトが、ハウジングに差し込まれた配線板状部材における複数の接続端子部に夫々接触接続され、それとともに、導電性シェルに一体的に形成された係止部における係合部分が、ハウジングに差し込まれた配線板状部材に設けられた切欠き係合部に係合し、係止部が配線板状部材に対する係止状態をとる。その結果、ハウジングに差し込まれた配線板状部材を、係止部により係止されてハウジングからの不所望な抜脱が阻止される状態におくことができ、ハウジング内に配列配置された複数のコンタクトがハウジングに差し込まれた配線板状部材における複数の接続端子部に夫々接触接続された状態を安定に維持することができる。
【００３０】
また、ハウジングに差し込まれた配線板状部材が係止部により係止された状態におかれたもとで、係止部と共に導電性シェルに一体的に形成された係止解除部における操作部分が、係止部の係止状態を解除させるべく操作されると、係止解除部が、係止部における係合部分に、ハウジングに差し込まれた配線板状部材に設けられた切欠き係合部との係合を解除させて、係止部に配線板状部材に対する係止状態を解除する状態をとらせる。その結果、ハウジングに差し込まれた配線板状部材を、係止部による係止状態から解放されて、ハウジングから意図的に抜脱させることができる状態におくことができる。
【００３１】
従って、本発明に係るコネクタ装置によれば、係止部及び係止解除部が導電性シェルに一体的に形成された、構成部材数を低減することができる構造をもって、ハウジングに差し込まれた配線板状部材を、ハウジングからの不所望な抜脱が確実に阻止される係止状態、及び、その係止状態から解放されてハウジングからの意図的な抜脱が可能とされる状態に選択的におくことができることになる。
【００３２】
さらに、本発明に係るコネクタ装置においては、配線板状部材がハウジングに差し込まれたもとで、導電性シェルに一体的に形成された係止部における係合部分が配線板状部材に設けられた切欠き係合部に係合して、係止部が配線板状部材に対する係止状態をとるときと、係合部分が配線板状部材に設けられた切欠き係合部に係合せず、係止部が配線板状部材に対する係止状態をとらないときとで、係止部と共に導電性シェルに一体的に形成された係止解除部における操作部分が、ハウジング外において異なった位置をとるものとされる。それにより、ハウジングに差し込まれた配線板状部材が、ハウジング内における適正な位置に到達していて、係止部により係止されてハウジングからの不所望な抜脱が阻止されている状態に適正におかれていることについての、コネクタ装置の外部からの目視もしくは感触による迅速かつ正確な確認を、容易に行うことができる。
【図面の簡単な説明】
【００３３】
【図１】本発明に係るコネクタ装置の一例を示す正面側から見た斜視図である。
【図２】本発明に係るコネクタ装置の一例を示す背面側から見た斜視図である。
【図３】本発明に係るコネクタ装置の一例を示す正面図である。
【図４】本発明に係るコネクタ装置の一例に備えられる導電性シェルを示す正面側から見た斜視図である。
【図５】本発明に係るコネクタ装置の一例に備えられる導電性シェルを示す背面側から見た斜視図である。
【図６】図３におけるVI−VI線断面を示す部分断面図である。
【図７】図３における VII−VII 線断面を示す断面図である。
【図８】図３におけるVIII−VIII線断面を示す断面図である。
【図９】本発明に係るコネクタ装置の一例に備えられる係止部及び係止解除部の説明に供される部分断面図である。
【図１０】本発明に係るコネクタ装置の一例に差し込まれるフレキシブル印刷配線基板を示す斜視図である。
【図１１】本発明に係るコネクタ装置の一例に対してフレキシブル印刷配線基板が差し込み途中にある状態を示す斜視図である。
【図１２】本発明に係るコネクタ装置の一例に対してフレキシブル印刷配線基板が差込み途中にある状態を示す部分断面図である。
【図１３】本発明に係るコネクタ装置の一例に対してフレキシブル印刷配線基板が差込み途中にある状態を示す部分断面図である。
【図１４】本発明に係るコネクタ装置の一例に対するフレキシブル印刷配線基板の差込みが完了した状態を示す斜視図である。
【図１５】本発明に係るコネクタ装置の一例に対するフレキシブル印刷配線基板の差込みが完了した状態を示す部分断面図である。
【図１６】本発明に係るコネクタ装置の一例に備えられた係止部がフレキシブル印刷配線基板を係止した状態を示す断面図である。
【図１７】本発明に係るコネクタ装置の一例に備えられた係止解除部が係止部にフレキシブル印刷配線基板に対する係止を解除させた状態を示す部分断面図である。
【発明を実施するための形態】
【００３４】
本発明を実施するための形態は、以下に述べられる本発明についての実施例をもって説明される。
【実施例】
【００３５】
図１（正面側から見た斜視図），図２（背面側から見た斜視図）及び図３（正面図）は、本発明に係るコネクタ装置の一例を示す。
【００３６】
図１，図２及び図３には、本発明に係るコネクタ装置の一例を成すコネクタ装置１０が示されており、図３は、コネクタ装置１０の正面を示している。以下においては、図３に示されるコネクタ装置１０の正面に向かって上側, 下側、左側及び右側を、夫々、上，下，左及び右とする。
【００３７】
図１，図２及び図３に示されるコネクタ装置１０は、合成樹脂等の絶縁材料によって形成されたハウジング１１を備えており、ハウジング１１には、図１及び図３に示されるように、その正面側端面部からその内部へと伸びる板状部材差込み部１２が設けられている。ハウジング１１は、例えば、図示されていない主配線基板に配され、それにより、コネクタ装置１０の全体が主配線基板に取り付けられたものとされる。そして、板状部材差込み部１２を通じて、例えば、後述されるフレキシブル印刷配線基板が、配線板状部材を成すものとして、ハウジング１１に差し込まれる。
【００３８】
ハウジング１１には、その内部に、各々が弾性導電材料で形成された複数のコンタクト１３が、ハウジング１１の長手方向（左右方向）に沿って配列配置されて設けられている。複数のコンタクト１３の夫々には、図２に示されるように、ハウジング１１の正面側端面部に対向する背面側端面部からその外部に導出される接続端子部１３ａが設けられており、接続端子部１３ａは、ハウジング１１が配された主配線基板に設けられた信号端子部に接続される。そして、複数のコンタクト１３は、例えば、図２に示されるハウジング１１の背面側端面部側から、ハウジング１１の内部へと押圧挿入されたものとされる。
【００３９】
これらの複数のコンタクト１３は、配線板状部材を成すフレキシブル印刷配線基板が板状部材差込み部１２を通じてハウジング１１に差し込まれるとき、ハウジング１１に差し込まれたフレキシブル印刷配線基板における複数の信号接続端子部に夫々接触接続される。それにより、ハウジング１１に差し込まれたフレキシブル印刷配線基板における複数の信号接続端子部が、複数のコンタクト１３を介して、ハウジング１１が配された主配線基板に設けられた信号端子部に連結される。
【００４０】
また、コネクタ装置１０は、ハウジング１１の正面側端面部における板状部材差込み部１２の周囲部分の一部分，背面側端面部及びその近傍の部分，左右方向の両側面部の一部分及び底面部の一部分とを除いた残りの部分を覆う導電性シェル１４を備えている。即ち、導電性シェル１４は、ハウジング１１を部分的に覆っているのである。この導電性シェル１４は、金属板が加工成形されて構成されており、複数のコンタクト１３についての特性インピーダンス調整に貢献するため、さらには、コネクタ装置１０についての外部からの電磁波ノイズ対策のため、即ち、コネクタ装置１０における外部からの電磁波ノイズに対するシールド効果を得るためのものとして、備えられている。
【００４１】
導電性シェル１４は、図４（正面側から見た斜視図）及び図５（背面側から見た斜視図）に示されるように、ハウジング１１の底面部に対向する上面部を覆う上方部分１５，ハウジング１１の正面側端面部における板状部材差込み部１２の上方となる部分を部分的に覆う正面側上方端面部分１６，ハウジング１１の正面側端面部における板状部材差込み部１２の左側方及び右側方となる部分を夫々覆う正面側左方端面部分１７及び正面側右方端面部分１８，ハウジング１１の底面部を部分的に覆う下方部分１９，ハウジング１１の左側面部を部分的に覆う左側面部分２０、及び、ハウジング１１の右側面部を部分的に覆う右側面部分２１を有している。下方部分１９には接地接続端子部１９ａが、左側面部分２０には接地接続端子部２０ａが、そして、右側面部分２１には接地接続端子部２１ａが、夫々設けられている。これらの接地接続端子部１９ａ，２０ａ及び２１ａの夫々は、ハウジング１１が配された主配線基板に設けられた接地端子部に，例えば、半田付けされて接続され、導電性シェル１４に主配線基板からの接地電位を与える役割を果たすとともに、コネクタ装置１０の主配線基板への取り付けに使用される。
【００４２】
そして、導電性シェル１４には、図３におけるVI−VI線断面を示す図６に明瞭に示されるように、下方部分１９から伸びてハウジング１１に設けられた板状部材差込み部１２において傾斜面を形成し、板状部材差込み部１２を通じてハウジング１１に差し込まれる配線板状部材であるフレキシブル印刷配線基板を案内する役割を果たす案内傾斜面部２２と、案内傾斜面部２２の一部を成すものとされて、板状部材差込み部１２を通じてハウジング１１に差し込まれたフレキシブル印刷配線基板における接地接続部に、下方部分１９側から当接して接触接続される第１の接地用コンタクト２３と、上方部分１５における背面側端縁部から導電性シェル１４の内側に向かって板状部材差込み部１２へと伸び、板状部材差込み部１２を通じてハウジング１１に差し込まれたフレキシブル印刷配線基板に設けられた接地接続部に、上方部分１５側から当接して接触接続される第２の接地用コンタクト２４とが形成されている。これらの案内傾斜面部２２，第１の接地用コンタクト２３及び第２の接地用コンタクト２４の夫々は、複数個設けられている。
【００４３】
なお、板状部材差込み部１２を通じてハウジング１１に差し込まれるフレキシブル印刷配線基板が、導電性シェル１４の下方部分側の部分には接地接続部が設けられていないものである場合には、導電性シェル１４に形成された第１の接地用コンタクト２３は、当該フレキシブル印刷配線基板における導電性シェル１４の下方部分側の部分に当接し、また、板状部材差込み部１２を通じてハウジング１１に差し込まれるフレキシブル印刷配線基板が、導電性シェル１４の上方部分側の部分には接地接続部が設けられていないものである場合には、導電性シェル１４に形成された第２の接地用コンタクト２４は、当該フレキシブル印刷配線基板における導電性シェル１４の上方部分側の部分に当接する。
【００４４】
このような第１の接地用コンタクト２３及び第２の接地用コンタクト２４が設けられていることにより、ハウジング１１に差し込まれたフレキシブル印刷配線基板における接地接続部が、第１の接地用コンタクト２３及び第２の接地用コンタクト２４が形成された導電性シェル１４を介して、ハウジング１１が配された主配線基板に設けられた接地端子部に連結される。
【００４５】
さらに、導電性シェル１４には、上方部分１５におけるハウジング１１の左右方向（複数のコンタクト１３の配列方向）の両端部に対応する二カ所の背面側端縁部から、それらに夫々設けられた一対の立下り部２５の各々を介して、導電性シェル１４の内側に伸びる係止部２６とその係止部２６から更に伸びて導電性シェル１４外に突出する係止解除部２７、及び、導電性シェル１４の内側に伸びる係止部２８とその係止部２８から更に伸びて導電性シェル１４外に突出する係止解除部２９とが形成されている。これらの係止部２６及び係止解除部２７と係止部２８及び係止解除部２９とは、導電性シェル１４と一体的に形成されている。
【００４６】
図３における VII−VII 線断面を示す図７及び図３におけるVIII−VIII線断面を示す図８に明瞭に示されるように、係止部２６は、導電性シェル１４に設けられた立下り部２５からハウジング１１の内側に伸びて、弾性を有した可動部分を成す腕状部分３０と、腕状部分３０の端部に設けられて、ハウジング１１に差し込まれたフレキシブル印刷配線基板に設けられた切欠き係合部に係合する状態をとる係合部分３１とを有して形成されている。係合部分３１は、フレキシブル印刷配線基板が板状部材差込み部１２を通じてハウジング１１に差し込まれるとき、そのフレキシブル印刷配線基板の端縁部に当接する当接面３１ａを有している。そして、係合部分３１が、ハウジング１１に差し込まれたフレキシブル印刷配線基板に設けられた切欠き係合部に係合する状態をとるときには、係止部２６がフレキシブル印刷配線基板に対する係止状態をとる。
【００４７】
係止部２８も、係止部２６と同様に、図５に示される如く、導電性シェル１４に設けられた立下り部２５からハウジング１１の内側に伸びて、弾性を有した可動部分を成す腕状部分３５と、腕状部分３５の端部に設けられて、ハウジング１１に差し込まれたフレキシブル印刷配線基板に設けられた切欠き係合部に係合する状態をとる係合部分３６とを有して形成されている。係合部分３６は、フレキシブル印刷配線基板が板状部材差込み部１２を通じてハウジング１１に差し込まれるとき、そのフレキシブル印刷配線基板の端縁部に当接する当接面３６ａを有している。そして、係合部分３６が、ハウジング１１に差し込まれたフレキシブル印刷配線基板に設けられた切欠き係合部に係合する状態をとるときには、係止部２８がフレキシブル印刷配線基板に対する係止状態をとる。
【００４８】
また、図８に明瞭に示されるように、係止解除部２７は、係止部２６における腕状部分３０の端部から伸びる連結部分３２と、連結部分３２に連なってハウジング１１外に位置し、ハウジング１１の左側面部の外面に当接する状態をとる当接部分３３と、ハウジング１１外において当接部分３３から伸びる操作部分３４とを有して形成されている。操作部分３４は、図９に示されるように、係止部２６のフレキシブル印刷配線基板に対する係止状態を解除させるべく、ハウジング１１に向けて押圧操作される。斯かる際には、係止解除部２７が、当接部分３３をハウジング１１の左側面部（もしくは右側面部）の外面に当接させたもとで、連結部分３２を、係止部２６における係合部分３１を伴って、ハウジング１１に差し込まれたフレキシブル印刷配線基板の板面に沿う方向においてそのフレキシブル印刷配線基板の端縁部から離隔する向き（矢印Ｘにより示される向き）に移動させる。
【００４９】
なお、上述の例においては、係止解除部２７における当接部分３３は、ハウジング１１の左側面部の外面に当接する状態をとるものとされているが、導電性シェル１４における左側面部分２０がハウジング１１の左側面部を略全面的に覆う場合には、当接部分３３が、導電性シェル１４における左側面部分２０の外面に当接する状態をとるものとされる。
【００５０】
係止解除部２９も、係止解除部２７と同様に、図２及び図５に示される如く、係止部２８における腕状部分３６の端部から伸びる連結部分３７，連結部分３７に連なってハウジング１１外に位置し、ハウジング１１の右側面部の外面に当接する状態をとる当接部分３８と，ハウジング１１外において当接部分３８から伸びる操作部分３９とを有して形成されている。操作部分３９は、係止部２８のフレキシブル印刷配線基板に対する係止状態を解除させるべく、ハウジング１１に向けて押圧操作される。斯かる際には、係止解除部２９が、当接部分３８をハウジング１１の右側面部の外面に当接させたもとで、連結部分３７を、係止部２８における係合部分３６を伴って、ハウジング１１に差し込まれたフレキシブル印刷配線基板の板面に沿う方向においてそのフレキシブル印刷配線基板の端縁部から離隔する向きに移動させる。
【００５１】
なお、上述の例においては、係止解除部２９における当接部分３８は、ハウジング１１の右側面部の外面に当接する状態をとるものとされているが、導電性シェル１４における右側面部分２１がハウジング１１の右側面部を略全面的に覆う場合には、当接部分３８が、導電性シェル１４における右側面部分２１の外面に当接する状態をとるものとされる。
【００５２】
図１０は、コネクタ装置１０におけるハウジング１１に板状部材差込み部１２を通じて差し込まれる、配線板状部材を成すフレキシブル印刷配線基板の一例であるフレキシブル印刷配線基板４０を示す。
【００５３】
図１０に示されるフレキシブル印刷配線基板４０における一対の相互対向面の一方には、その一端部に各々が短冊状に形成された複数の信号接続端子４１が配列配置されて設けられており、さらに、それらの内側に平板状の接地接続部４２が設けられている。また、フレキシブル印刷配線基板４０には、配列配置された複数の信号接続端子４１及び平板状の接地接続部４２を挟んで相互対向する一対の側縁部に切欠き係合部４３及び４４が夫々形成されている。そして、フレキシブル印刷配線基板４０においては、複数の信号接続端子４１及び接地接続部４２の一部が設けられた部分と一対の切欠き係合部４３及び４４が形成された部分とを残して、それら以外の部分がカバーフィルム４５によって覆われている。
【００５４】
なお、図１０に示されるフレキシブル印刷配線基板４０にあっては、その一対の相互対向面の一方に、複数の信号接続端子部４１と接地接続部４２との両方が設けられているが、コネクタ装置１０におけるハウジング１１に板状部材差込み部１２を通じて差し込まれる、例えば、フレキシブル印刷配線基板とされる配線板状部材は、その一対の相互対向面に、複数の信号接続端子部４１と接地接続部４２とに相当する複数の信号接続端子部と接地接続部とが夫々設けられたものとされてもよい。
【００５５】
図１１は、図１０に示されるフレキシブル印刷配線基板４０が、コネクタ装置１０におけるハウジング１１に板状部材差込み部１２を通じて差し込まれるにあたり、ハウジング１１への差込み途中にある状態を示す。ハウジング１１に差し込まれるフレキシブル印刷配線基板４０は、配列配置された複数の信号接続端子部４１が設けられた板面が、下方に、即ち、導電性シェル１４の下方部分１９側に向けられたものとされる。そして、コネクタ装置１０における斯かるフレキシブル印刷配線基板４０のハウジング１１への差込みが適正に行われるときには、フレキシブル印刷配線基板４０における複数の信号接続端子部４１が配列配置された部分の先端縁部が、ハウジング１１の背面側端面部と平行になるようにされる。
【００５６】
図１１に示される、フレキシブル印刷配線基板４０がハウジング１１への差込み途中にある状態がとられるにあたっては、まず、図１２に示されるように、フレキシブル印刷配線基板４０における、その側端部に形成された切欠き係合部４４より先端側となる端縁部４７（図１０）が、係止部２６における係合部分３１が有する当接面３１ａに近接し、それとともに、フレキシブル印刷配線基板４０における、その側端部に形成された切欠き係合部４３より先端側となる端縁部４６（図１０）も、係止部２８における係合部分３６が有する当接面３６ａに近接する状態がとられる。このとき、係止解除部２７における操作部分３４は、図１２に示される仮想基準線ＩＬに達していない位置にあり、また、係止解除部２９における操作部分３９も、仮想基準線ＩＬの右方延長線に達していない位置にある。
【００５７】
続いて、フレキシブル印刷配線基板４０のハウジング１１への継続的な差込みに伴って、図１３に示されるように、フレキシブル印刷配線基板４０における端縁部４７に、係止部２６における係合部分３１が有する当接面３１ａが当接し、それにより、係合部分３１が、係止部２６における腕状部分３０をフレキシブル印刷配線基板４０の板面に沿う方向においてフレキシブル印刷配線基板４０における端縁部４７から離隔する向きに変位させる。また、このとき、フレキシブル印刷配線基板４０における端縁部４６にも、係止部２８における係合部３６が有する当接面３６ａが当接し、それにより、係合部分３６が、係止部２８における腕状部分３５をフレキシブル印刷配線基板４０の板面に沿う方向においてフレキシブル印刷配線基板４０における端縁部４６から離隔する向きに変位させる。
【００５８】
その結果、フレキシブル印刷配線基板４０のハウジング１１内への差し込みが、係止部２６及び係止部２８の夫々が障害となることなく継続される状態がとられる。それとともに、係止部２６における腕状部分３０の端部に連結された係止解除部２７における連結部分３２が、フレキシブル印刷配線基板４０の板面に沿う方向においてフレキシブル印刷配線基板４０における端縁部４７から離隔する向きをもって移動し、係止解除部２７における操作部分３４を、図１３に示されるように、仮想基準線ＩＬを越える位置まで変位させる。また、係止部２８における腕状部分３５の端部に連結された係止解除部２９における連結部分３７も、フレキシブル印刷配線基板４０の板面に沿う方向においてフレキシブル印刷配線基板４０における端縁部４６から離隔する向きをもって移動し、係止解除部２９における操作部分３９を、仮想基準線ＩＬの右方延長線を越える位置まで変位させる。
【００５９】
このようにして、係止解除部２７における操作部分３４及び係止解除部２９における操作部分３９が、図１３に示されるように、仮想基準線ＩＬ及び仮想基準線ＩＬの右方延長線を越える位置におかれることにより、係止部２６における係合部分３１が、それが有する当接面３１ａがフレキシブル印刷配線基板４０における端縁部４７に当接していて、フレキシブル印刷配線基板４０に設けられた切欠き係合部４４に係合していず、また、係止部２８における係合部分３６も、それが有する当接面３６ａがフレキシブル印刷配線基板４０における端縁部４６に当接していて、フレキシブル印刷配線基板４０に設けられた切欠き係合部４３に係合していない状態を、コネクタ装置１０の外部からの目視もしくは感触により容易に確認できることになる。
【００６０】
その後、フレキシブル印刷配線基板４０が、ハウジング１１にさらに差し込まれて、ハウジング１１内における所定の位置に達すると、図１４に示されるような、フレキシブル印刷配線基板４０のハウジング１１への差込みが完了した状態がとられる。
【００６１】
図１４に示されるフレキシブル印刷配線基板４０のハウジング１１への差込みが完了した状態のもとにあっては、図１５に示されるように、係止部２６における腕状部分３０の端部に設けられた係合部分３１の当接面３１ａがフレキシブル印刷配線基板４０の端縁部４７に当接しなくなり、係止部２６における腕状部分３０が、係合部分３１を伴って、フレキシブル印刷配線基板４０の板面に沿う方向において当該フレキシブル印刷配線基板４０の端縁部４７に近接する向きをもって変位し、図１６に明瞭に示されるように、係合部分３１にフレキシブル印刷配線基板４０に設けられた切欠き係合部４４との係合状態をとらせる。また、係止部２８における腕状部分３５の端部に設けられた係合部分３６の当接面３６ａもフレキシブル印刷配線基板４０の端縁部４６に当接しなくなり、係止部２８における腕状部分３５が、係合部分３６を伴って、フレキシブル印刷配線基板４０の板面に沿う方向において当該フレキシブル印刷配線基板４０の端縁部４６に近接する向きをもって変位し、係合部分３６にフレキシブル印刷配線基板４０に設けられた切欠き係合部４３との係合状態をとらせる。
【００６２】
それにより、係止部２６及び係止部２８がフレキシブル印刷配線基板４０に対する係止状態をとり、それにより、フレキシブル印刷配線基板４０のハウジング１１からの不所望な離脱が阻止される。このとき、係止部２６における腕状部分３０の端部に連結された係止解除部２７における連結部分３２が、フレキシブル印刷配線基板４０の板面に沿う方向において当該フレキシブル印刷配線基板４０の端縁部４７に近接する向きをもって移動し、係止解除部２７における操作部分３４をハウジング１１外において図１３に示される仮想基準線ＩＬを越えた位置から図１５に示される仮想基準線ＩＬに達しない位置へと変位させる。また、係止部２８における腕状部分３５の端部に連結された係止解除部２９における連結部分３７も、フレキシブル印刷配線基板４０の板面に沿う方向において当該フレキシブル印刷配線基板４０の端縁部４６に近接する向きをもって移動し、係止解除部２９における操作部分３９をハウジング１１外において仮想基準線ＩＬの右方延長線を越えた位置から仮想基準線ＩＬの右方延長線に達しない位置へと変位させる。それにより、フレキシブル印刷配線基板４０が係止部２６及び係止部２８による係止状態におかれたことが、ハウジング１１外における操作部分３４及び操作部分３９夫々の位置から視覚的にもしくは感触により認知され得ることになる。
【００６３】
上述のようにして、ハウジング１１に板状部材差込み部１２を通じて差し込まれたフレキシブル印刷配線基板４０が、係止部２６及び係止部２８による係止状態におかれたもとにあっては、ハウジング１１内に配列配置された複数のコンタクト１３の夫々が、複数の信号接続端子部４１が設けられた板面が下方に向けられてハウジング１１に差し込まれたフレキシブル印刷配線基板４０における複数の信号接続端子部４１のうちの対応するものに、導電性シェル１４の下方部分１９側から当接して接触接続される。それにより、ハウジング１１に差し込まれたフレキシブル印刷配線基板４０における複数の信号接続端子部４１が、複数のコンタクト１３を介して、ハウジング１１が配された主配線基板に設けられた信号端子部に連結される。
【００６４】
このとき、導電性シェル１４の下方部分１９から伸びてハウジング１１に設けられた板状部材差込み部１２に位置するものとされた複数の第１の接地用コンタクト２３が、板状部材差込み部１２を通じてハウジング１１に差し込まれたフレキシブル印刷配線基板４０における接地接続部４２に、下方部分１９側から当接して接触接続される。それにより、ハウジング１１に差し込まれたフレキシブル印刷配線基板４０における接地接続部４２が、複数の第１の接地用コンタクト２３を介して、ハウジング１１が配された主配線基板に設けられた接地端子部に連結される。
【００６５】
その後、係止解除部２７における操作部分３４がハウジング１１に向けて押圧操作されるとともに、係止解除部２９における操作部分３９がハウジング１１に向けて押圧操作されるときには、ハウジング１１に差し込まれたフレキシブル印刷配線基板４０をハウジング１１から意図的に抜脱させることができる状態がとられる。
【００６６】
図１７に示されるように、係止解除部２７における操作部分３４がハウジング１１に向けて押圧操作されると、係止解除部２７において、操作部分３４が、当接部分３３をハウジング１１の外面（もしくは導電性シェル１４における左側面部分２０の外面）に当接させたもとで、連結部分３２を、係止部２６における係合部分３１を伴って、ハウジング１１に差し込まれたフレキシブル印刷配線基板４０の板面に沿う方向において当該フレキシブル印刷配線基板４０の端縁部４７から離隔する向きに移動させて、係合部分３１にフレキシブル印刷配線基板４０に設けられた切欠き係合部４４との係合状態を解除させる。
【００６７】
また、係止解除部２９における操作部分３９がハウジング１１に向けて押圧操作されると、係止解除部２９において、操作部分３９が、当接部分３８をハウジング１１の外面（もしくは導電性シェル１４における右側面部分２１の外面）に当接させたもとで、連結部分３７を、係止部２８における係合部分３６を伴って、ハウジング１１に差し込まれたフレキシブル印刷配線基板４０の板面に沿う方向において当該フレキシブル印刷配線基板４０の端縁部４６から離隔する向きに移動させて、係合部分３６にフレキシブル印刷配線基板４０に設けられた切欠き係合部４３との係合状態を解除させる。
【００６８】
それにより、係止部２６及び係止部２８によるフレキシブル印刷配線基板４０に対する係止状態が解除され、フレキシブル印刷配線基板４０がハウジング１１から意図的に抜脱させ得る状態におかれる。
【００６９】
上述のような本発明に係るコネクタ装置の一例を成すコネクタ装置１０によれば、係止部２６及び係止解除部２７と係止部２８及び係止解除部２９とが導電性シェル１４に一体的に形成された、構成部材数を低減することができる構造をもって、ハウジング１１に差し込まれたフレキシブル印刷配線基板４０を、ハウジング１１からの不所望な抜脱が確実に阻止される係止状態、及び、その係止状態から解放されてハウジング１１からの意図的な抜脱が可能とされる状態に、選択的におくことができる。
【００７０】
さらに、導電性シェル１４に一体的に形成された係止部２６がハウジング１１に差し込まれたフレキシブル印刷配線基板４０に対する係止状態をとるときと、斯かる係止状態をとらないときとで、係止部２６と共に導電性シェル１４に一体的に形成された係止解除部２７における操作部分３４が、ハウジング１１外において異なった位置をとるものとされ、また、導電性シェル１４に一体的に形成された係止部２８がハウジング１１に差し込まれたフレキシブル印刷配線基板４０に対する係止状態をとるときと、斯かる係止状態をとらないときとで、係止部２８と共に導電性シェル１４に一体的に形成された係止解除部２９における操作部分３９が、ハウジング外において異なった位置をとるものとされるので、それにより、ハウジング１１に差し込まれたフレキシブル印刷配線基板４０が、ハウジング１１内における適正な位置に到達していて、係止部２６及び係止部２８により係止されてハウジング１１からの不所望な抜脱が阻止されている状態に適正におかれていることについての、コネクタ装置１０の外部からの目視もしくは感触による迅速かつ正確な確認を、容易に行うことができることになる。
【００７１】
なお、上述した実施例では、コンタクト１３におけるフレキシブル印刷配線基板４０の信号接続端子部４１と接触する部分が、ハウジング１１の板状部材差込み部１２の底面側から突出するように配置されているため、フレキシブル印刷配線基板４０の信号接続端子部４１を下方に向けて板状部材差込み部１２へ挿入する構成としているが、コンタクト１３におけるフレキシブル印刷配線基板４０の信号接続端子部４１と接触する部分を、ハウジング１１の板状部材差込み部１２の上面側から突出するように配置して、フレキシブル印刷配線基板４０の信号接続端子部４１を上方に向けて板状部材差込み部１２へ挿入する構成としてもよい。
【産業上の利用可能性】
【００７２】
以上のような本発明に係るコネクタ装置は、例えば、フレキシブル印刷配線基板等とされる配線板状部材の主配線基板への取付けに用いられる、板状部材差込み部が設けられたハウジングと、ハウジング内に配列配置されて設けられる複数のコンタクトと、ハウジングを部分的もしくは全体的に覆う導電性シェルとを備えたコネクタ装置であって、構成部材数を低減することができる構造をもって、ハウジングに差し込まれた配線板状部材を、ハウジングからの不所望な抜脱が確実に阻止される係止状態、及び、その係止状態から解放されてハウジングからの意図的な抜脱が可能とされる状態に選択的におくことができ、しかも、ハウジングに差し込まれた配線板状部材が、ハウジングからの不所望な抜脱が確実に阻止される係止状態に適正におかれていることを、コネクタ装置の外部から迅速かつ正確に確認することができるものとして、様々な電子機器等に広く適用され得るものである。
【符号の説明】
【００７３】
１０・・・コネクタ装置，  １１・・・ハウジング，  １２・・・板状部材差込み部，  １３・・・コンタクト，  １４・・・導電性シェル，  １５・・・上方部分，  １９・・・下方部分，  ２０・・・左側面部分，  ２１・・・右側面部分，  ２２・・・案内傾斜面部，  ２３・・・第１の接地用コンタクト，  ２４・・・第２の接地用コンタクト，  ２５・・・立下り部，  ２６，２８・・・係止部，  ２７，２９・・・係止解除部，  ３０，３５・・・腕状部分，  ３１，３６・・・係合部分，  ３１ａ，３６ａ・・・当接面，  ３２，３７・・・連結部分，  ３３，３８・・・当接部分，  ３４，３９・・・操作部分，  ４０・・・フレキシブル印刷配線基板，  ４１・・・信号接続端子部，  ４２・・・接地接続部，  ４３，４４・・・切欠き係合部，  ４５・・・カバーフィルム，  ４６，４７・・・端縁部
【図１】
2011086428.tif 000003
【図２】
2011086428.tif 000004
【図３】
2011086428.tif 000005
【図４】
2011086428.tif 000006
【図５】
2011086428.tif 000007
【図６】
2011086428.tif 000008
【図７】
2011086428.tif 000009
【図８】
2011086428.tif 000010
【図９】
2011086428.tif 000011
【図１０】
2011086428.tif 000012
【図１１】
2011086428.tif 000013
【図１２】
2011086428.tif 000014
【図１３】
2011086428.tif 000015
【図１４】
2011086428.tif 000016
【図１５】
2011086428.tif 000017
【図１６】
2011086428.tif 000018
【図１７】
2011086428.tif 000019